(57)【要約】      （修正有）【課題】席を離れるときなどに、一時的に開けられないようにしたファイルケースを提供する。【解決手段】ケース本体１と、この本体を開閉するためのスライドファスナ５と、このスライドファスナを開閉させる、引手２の付いたスライダ４と、を有するファイルケースである。前記本体１は不透明であり、前記引手２はスライダ４に対して着脱自在である。一時的に席を外すときなどにこのファイルケースの内容物を盗まれたり、盗み見されたりしないようにするためには、引手をスライダから外すだけでよい。【選択図】図１
0003116479.tif 000002
【実用新案登録請求の範囲】
【請求項１】
ケース本体（１）と、この本体を開閉するためのスライドファスナ（５）と、このスライドファスナを開閉させる、引手（２）の付いたスライダ（４）と、を有するファイルケースにおいて、前記本体（１）が不透明であること及び前記引手（２）がスライダ（４）に対して着脱自在であることを特徴とするファイルケース。
【請求項２】
前記スライドファスナの引手が、
スライドファスナのスライダ（４）と係合するフック（６）を有する本体（８）と、この本体（８）上をスライドし、前記フック（６）を開閉するスライド部材（１０）とからなるものであって、
本体（８）には、孔（１４，１６）が設けられていて、スライド部材（１０）の底部には、前記孔（１４、１６）と係合する係合片（３２，３４）があり、スライド部材（１０）を指で前後することにより、スライド部材（１０）は左右孔（１４、１６）に沿ってスライドが可能であり、
本体（８）上には小突起（２０）があり、スライド部材（１０）にはこれに嵌合する切り欠き（２８）があって、この小突起（２０）が切り欠き（２８）に嵌合するときにスライド部材（１０）の位置が安定するものである請求項１記載のファイルケース。
【請求項３】
前記スライドファスナの引手が、
先端に開閉用の爪（４１）を有し、後端に第１係合要素（４２）を有するフック（４０）と、
前後壁（５１、５２）及び左右壁（５３、５４）を有し、上部が前記フック回動用に開放されていて、前記前後壁の間に前記フックを収容する空間（５６）が形成されているとともに、この空間に前記フック回動用の第２係合要素（５８）が形成されている本体（５０）からなり、
前記フックの第１係合要素（４２）と前記本体の第２係合要素（５８）が係合して、両者は回動自在に接合されているものである請求項１記載のファイルケース。
【請求項４】
前記第１及び第２の係合要素が、
（ａ）本体の前後壁の一部を隆起させることにより形成した回動軸（５８）と、この回動軸を収容するフック後端部の穴（４２）の組合せ、
（ｂ）本体の前後壁の一部を凹ませることにより形成した窪み（５８ａ）と、この窪みにはまりこむフック後端部の突起（４２ａ）の組合せ、及び
（ｃ）本体の前後壁に開けた穴（５８ｂ）と、フック後端部の穴（４０ｃ）と、これらの穴を貫通するピン（６２）の組合せ
のうちのいずれか１つである請求項３記載のファイルケース。
【請求項５】
フックを閉鎖位置で仮固定する手段（４３、５９）が設けられている請求項４記載のファイルケース。
【請求項６】
前記仮固定手段が、
（ａ）フックの一部を隆起させた隆起部（４３）と、この隆起部にはまり合う本体壁の窪み（５９）の組合せ、及び
（ｂ）本体壁の一部を隆起させた隆起部（５９ａ）と、この隆起部にはまり合うフックの穴（４３ａ）の組合せ
のいずれか１つである請求項５記載のファイルケース。
【請求項７】
ファイルケース（７）が、鞄の内ポケット（１Ａ）である請求項１ないし６のいずれかに記載のファイルケース。
【考案の詳細な説明】
【技術分野】
【０００１】
本考案は、開放制限のあるファイルケースに関する。ここで開放制限とは、他人に見られたくないときなど、一時的に開けられなくすることをいい、鍵をかけるのと手段は異なるが結果は同じである。
【背景技術】
【０００２】
一般に、カバン類の内容物を抜き取りや盗み見から守るには、鍵をかけるのが普通である（例えば、下記特許文献１を参照）。しかし、鍵をかけるのは主として比較的高価なカバン類であり、日常的に携帯される、比較的安価なファイルケースにまで鍵や錠前を取り付けるのは、コスト高を招来してそのような物品の本来の目的に添わない。
【特許文献１】特開２００４−３４６６０９
【考案の開示】
【考案が解決しようとする課題】
【０００３】
しかし、たとえファイルケースであっても、一時的に席を離れた隙に内容物を抜き取られたり、盗み見られたりすることがありうる。ファイルケースごと盗まれた場合は、その事実にすぐ気づくが、抜き取りや盗み見は最後まで気づかないで思わぬ不利益を被ることもないとはいえない。
【０００４】
本考案は、席を離れるときなどに、一時的に開けられないようにしたファイルケースを提供することを目的とする。
【課題を解決するための手段】
【０００５】
本考案のファイルケースは、ケース本体と、この本体を開閉するためのスライドファスナと、このスライドファスナを開閉させる、引手の付いたスライダと、を有するファイルケースにおいて、前記本体が不透明であること及び前記引手がスライダに対して着脱自在であることを特徴とする。
【考案の効果】
【０００６】
本考案によれば、引手はスライダに対して着脱自在であるので、一時的に席を離れるときなど、引手をスライダから分離することにより、スライドファスナの開放は不可能となる。しかも、引手を分離するのが片手でもできるくらい簡単な作業であれば、誰にも気づかれずに済み、同席した人に対して失礼に当たることもない。
【考案を実施するための最良の形態】
【０００７】
スライダに対して着脱自在な引手は様々なものがあり得る。
【０００８】
例えば、その一態様（下記実施例１）として、スライドファスナのスライダと係合するフックを有する本体と、この本体上をスライドし、前記フックを開閉するスライド部材とからなるものが挙げられる。
【０００９】
この態様では、本体には、孔が設けられていて、スライド部材の底部には、前記孔と係合する係合片があり、スライド部材を指で前後することにより、スライド部材は左右孔に沿ってスライドが可能である。また、本体上には小突起があり、スライド部材にはこれに嵌合する切り欠きがあって、この小突起が切り欠きに嵌合するときにスライド部材の位置が安定する。
【００１０】
別の態様（下記実施例２）では、本考案で使用する引手は、先端に開閉用の爪を有し、後端に第１係合要素を有するフックと、前後壁及び左右壁を有し、上部が前記フック回動用に開放されていて、前記前後壁の間に前記フックを収容する空間が形成されているとともに、この空間に前記フック回動用の第２係合要素が形成されている本体からなり、前記フックの第１係合要素と前記本体の第２係合要素が係合して、両者は回動自在に接合されている。
【００１１】
前記第１及び第２の係合要素とは、例えば次のようなものである。
（１）本体の前後壁の一部を隆起させることにより形成した回動軸と、この回動軸を収容するフック後端部の穴の組合せ
（２）本体の前後壁の一部を凹ませることにより形成した窪みと、この窪みにはまりこむフック後端部の突起の組合せ
（３）本体の前後壁に開けた穴と、フック後端部の穴と、これらの穴を貫通するピンの組合せ。
【００１２】
フックが使用者の意思に反して勝手に自由回転してしまわないように、フックと本体にはフックを閉鎖位置で仮固定する手段が設けるのが好ましい。この仮固定手段は、例えばつぎのようなものである。
（１）フックの一部を隆起させた隆起部と、この隆起部にはまり合う内部壁の窪みの組合せ
（２）本体壁の一部を隆起させた隆起部と、この隆起部にはまり合うフックの穴の組合せ。
【００１３】
ファイルケースは、下記実施例１及び２に記すように、それ単独で製造販売されるのが通常である。しかし、下記実施例３に示すように、同様の考えは、鞄の中の内ポケットに適用することができる。
【実施例１】
【００１４】
以下、添付の図面に基づき本考案の実施例を説明する。
【００１５】
図１は、本考案に係るファイルケース１の全体正面図である。このケースは、不透明な素材で製作又は不透明に着色された本体３と、この本体３を開閉するスライドファスナ５を有する。スライドファスナ５は、引手２によりスライダ４が移動される。
【００１６】
図２は本考案の第１実施例で使用する引手２を取り付けたスライドファスナ５の要部平面図である。この引手にはスライダ４と係合するためのフック６があり、このフックは開閉可能である。図３（ａ）（ｂ）はそのフック開放時の平面図と底面図であり、図３（ｃ）（ｄ）はフック閉鎖時の平面図と底面図である。
【００１７】
図３に示すように、本考案の引手２はフック６を有する本体８と、フック６を開閉させるスライド部材１０からなる。
【００１８】
本体８はほぼ四角形の金属板であるが、スライド部材１０の収容及びスライド用に中央部１２がくぼんでいる。底面図（ｂ）（ｄ）から明らかなように、本体には、左右及び後端部に合計３箇所の孔１４、１６、１８が設けられている。また、図４の断面図に示すように、本体のほぼ中央に小突起２０が設けられている。
【００１９】
スライド部材１０は、爪形のフック閉鎖部２２と、断面半円状のつまみ２４と、それらの中央に位置する連結部２６からなる。連結部２６には、Ｕ字状の切り欠き２８を切り抜くことにより形成されたばね３０が設けられている。
【００２０】
つまみ２４の底部には、前記左右孔１４、１６と係合する係合片３２，３４があり、つまみ２４を指で前後することにより、スライド部材１０は左右孔１４、１６に沿ってスライドが可能である。
【００２１】
スライド部材１０は、最後方位置（図３（ａ）、図４（ａ））から最前方位置（図３（ｃ）、図４（ｂ））までの間をスライドし、図４（ｂ）の位置で、小突起２０がばね３０の先端のＵ字状孔２８にはまることで安定する。なお、スライド部材１０がスライドするとき、小突起２０は上下動が可能なばね３０の下を動くので、移動の妨げとなることはない。
【００２２】
一時的に席を外すときなどにこのファイルケースの内容物を盗まれたり、盗み見されたりしないようにするためには、引手をスライダから外すだけでよい。
【実施例２】
【００２３】
図５は、本考案の第２実施例で使用する引手の(a)正面図、(b)背面図、(c)断面図である。
【００２４】
この引手２Ａは、図５から明らかなように、スライダ４に取り付けるための回動可能なフック４０と、フックの回動軸を有する本体５０からなる。
【００２５】
フック４０は、先端に開閉用の爪４１を有し、後端に回動軸を収容するための穴４２を有する平板である。ステンレス鋼などの金属で形成するのが好ましい。後記する目的のために、本体５０と重複する部分において小突起４３を設けている。これは、金属板の一方から力を加えて他方へ押出し成形すればよい。
【００２６】
本体５０は、前後壁５１、５２、左右壁５３、５４、底部壁５５を有し、上部がフック回動用に開放されている。前後壁の間にフック板を収容する空間５６が形成されている。本体の一部５７は、先端方向に向かって伸びており、この本体先端５７とフック先端の爪４１が接触したとき閉鎖状態となる。本体の中央部において、前後壁からそれぞれ一部隆起させることにより、回動軸５８が形成されている（図６（ａ）参照）。この回動軸５８に前記フックの穴４２が係合して、両者は回動自在に接合される。
【００２７】
フックの回動軸は、図６（ｂ）に示すように、本体の前後壁の一部を凹ませることにより形成した窪み５８ａと、この窪みにはまりこむフック後端部の突起４２ａの組合せとすることもできる。また、図６（ｃ）に示すように、本体の前後壁に開けた穴５８ｂと、フック後端部の穴４０ｃと、これらの穴を貫通するピン６２の組合せとすることもできる。
【００２８】
フック４０を回動させるのは、使用者の指の力である。使用者は片手に本体５０を持ち、もう片一方の手の指でフック５０を思い通りに回動させる。
【００２９】
フック４０の回動範囲は、図５(c)に示すように、フック先端の爪４１が本体先端５７に接触する位置（実線）から、フック背部が右側壁５４に当接する位置（仮想線）までの間であり、この実施例では約５０度である。
【００３０】
フックが使用者の意思に反して勝手に自由回転してしまわないように、フックと本体には係合部が設けられている。係合部は、フック側の小突起４３及び本体側の窪み５９からなる。フック側の小突起４３は前記したとおりである。本体側の窪み５９は前記小突起４３を収容するものであり、収容した状態において安定する。この状態のとき、フック先端の爪４１が本体先端５７に接触する。
【００３１】
フック仮固定用の係合部は、図７（ｂ）に示すように、本体壁の一部を隆起させた隆起部５９ａと、この隆起部にはまり合うフックの穴４３ａの組合せとすることもできる。
【００３２】
本体の背面にある三日月状の穴６０は単なるデザイン上のものであり、本体後部にある穴６１は必要に応じて紐などを連結するためのものである。いずれも本考案にとって必須のものではない。
【００３３】
この実施例においても、一時的に席を外すときなどにこのファイルケースの内容物を盗まれたり、盗み見されたりしないようにするためには、引手をスライダから外すだけでよい。
【実施例３】
【００３４】
図１に図示したようなファイルケースは、図８に示すようなキャリングケース７の中の仕切ポケット又は内ポケット１Ａとして使用することもできる。ここで、スライドファスナ５Ａの引手２Ｂとして、実施例１又は２の引手２，２Ａを使用することができる。
【図面の簡単な説明】
【００３５】
【図１】本考案に係るファイルケース１の全体正面図である。
【図２】本考案に係る引手を取り付けたスライドファスナ２の要部平面図である。
【図３】（ａ）は、スライド部材１０が最後方位置にあるときの引手の平面図であり、（ｂ）は、同底面図である。（ｃ）は、スライド部材１０が最前方位置にあるときの引手の平面図であり、（ｂ）は、同底面図である。
【図４】（ａ）は、スライド部材１０が最後方位置にあるときの引手の断面図であり、（ｂ）は、スライド部材１０が最前方位置にあるときの断面図である。
【図５】本考案の第２実施例で使用する引手の(a)正面図、(b)背面図、(c)断面図である。
【図６】フックの回動軸の３つの実施例を示す６−６断面図である。
【図７】フック仮固定用の係合部の２つの実施例を示す７−７断面図である。
【図８】本考案第３実施例に係るファイルケース７の全体斜視図である。
【符号の説明】
【００３６】
２，２Ａ，２Ｂ     引手
４，４Ａ スライダ
６       フック
８       本体
１０     スライド部材
１４，１６         本体の孔
３２，３４         係合片
２０     本体上の小突起
２８     スライド部材の切り欠き
４０     フック
４１     爪
４２     穴
４３     小突起
５０     本体
５１，５２         前後壁
５３，５４         左右壁
５５     底部壁
５６     空間
５８     回動軸
６０     穴
【図１】
0003116479.tif 000003
【図２】
0003116479.tif 000004
【図３】
0003116479.tif 000005
【図４】
0003116479.tif 000006
【図５】
0003116479.tif 000007
【図６】
0003116479.tif 000008
【図７】
0003116479.tif 000009
【図８】
0003116479.tif 000010